(57)【要約】【課題】用紙に画像を印刷する印刷装置において、給紙トレイに積載される用紙の用紙情報を設定する際の利便性を向上できるようにする。【解決手段】印刷装置においては、用紙センサから出力される信号によって用紙の有無を検知する検知処理（Ｓ１３０、Ｓ１４０）と、印刷ジョブに含まれる用紙の種類を示す用紙情報と同様の用紙情報が関連付けられたトレイから用紙を供給し、印刷ジョブに基づく画像を印刷部に印刷させる印刷処理（Ｓ１１０、Ｓ１２０、Ｓ３２０）と、印刷処理を実行する際に用紙センサにより用紙無しを検知した場合において、予め設定された自動設定条件が成立すると、印刷ジョブに含まれる用紙情報、または既にトレイに関連付けられている用紙情報を、トレイに関連付ける用紙情報とする関連付処理（Ｓ１５０〜Ｓ２４０）と、を実行する。【選択図】図３
2015189016.tif 000002
【特許請求の範囲】
【請求項１】
用紙が積載されるトレイと、
前記トレイから供給された用紙に印刷ジョブに基づく画像を印刷する印刷部と、
前記トレイから供給される用紙の有無に応じた信号を出力する用紙センサと、
前記印刷部による作動を制御する制御部と、
を備え、
前記制御部は、
前記用紙センサから出力される信号によって前記用紙の有無を検知する検知処理と、
前記印刷ジョブに含まれる用紙の種類を示す用紙情報と同様の用紙情報が関連付けられたトレイから用紙を供給し、前記印刷ジョブに基づく画像を前記印刷部に印刷させる印刷処理と、
前記印刷処理を実行する際に前記用紙センサにより用紙無しを検知した場合において、予め設定された自動設定条件が成立すると、前記印刷ジョブに含まれる用紙情報、または既に前記トレイに関連付けられている用紙情報を、前記トレイに関連付ける用紙情報とする関連付処理と、
を実行することを特徴とする印刷装置。
【請求項２】
請求項１に記載の印刷装置において、
前記制御部は、
前記トレイに用紙が補充されたか否かを判断する補充判断処理を実行し、
前記関連付処理において、前記トレイに用紙が補充されたこと、という条件を前記自動設定条件に含むこと
を特徴とする印刷装置。
【請求項３】
請求項２に記載の印刷装置において、
前記補充判断処理では、前記用紙センサにより用紙有りを検知すると、前記トレイに用紙が補充されたと判断すること
を特徴とする印刷装置。
【請求項４】
請求項２に記載の印刷装置において、
前記トレイは、当該印刷装置の本体部に対して着脱自在に構成されており、
前記本体部に対する前記トレイの着脱状態に応じた信号を出力する着脱センサを備え、
前記補充判断処理では、前記着脱センサにより前記トレイが前記本体部に装着されたことを検知すると、前記トレイに用紙が補充されたと判断すること
を特徴とする印刷装置。
【請求項５】
請求項２〜請求項４の何れか１項に記載の印刷装置において、
前記トレイを複数備え、
前記制御部は、
前記補充判断処理において前記トレイに用紙が補充されたと判断された場合、前記印刷ジョブの印刷の際に使用したトレイおよび前記用紙が補充されたトレイを特定するトレイ特定処理を実施し、
前記関連付処理において、前記印刷ジョブの最初のページの印刷処理を完了していないこと、という完了条件を前記自動設定条件に含み、
前記関連付処理では、前記完了条件が成立する場合に、前記印刷ジョブの印刷の際に使用したトレイに既に関連付けられている用紙情報を前記用紙が補充されたトレイに関連付ける用紙情報とすること
を特徴とする印刷装置。
【請求項６】
請求項１〜請求項５の何れか１項に記載の印刷装置において、
前記関連付処理において、前記用紙センサにより用紙無しが検知されたときに実行すべき印刷ジョブ以外のジョブが無いこと、という条件を前記自動設定条件に含むこと
を特徴とする印刷装置。
【請求項７】
請求項６に記載の印刷装置において、
情報を表示する表示部を備え、
前記制御部は、
前記関連付処理において前記自動設定条件が成立しない場合、前記用紙情報の設定を促す情報を前記表示部に表示させる設定表示処理と、
前記表示情報が前記表示部に表示されている間、前記トレイに積載される用紙についての用紙情報の設定を受け付け、該受け付けた用紙情報を前記トレイに関連付ける用紙情報とする受付処理と、
を実行することを特徴とする印刷装置。
【請求項８】
請求項１〜請求項６の何れか１項に記載の印刷装置において、
情報を表示する表示部を備え、
前記制御部は、
前記関連付処理にて前記トレイに関連付けられた用紙情報を前記表示部に表示させる設定表示処理を実行すること
を特徴とする印刷装置。
【請求項９】
請求項１〜請求項８の何れか１項に記載の印刷装置において、
前記関連付処理において、前記印刷ジョブの最初のページの印刷処理を完了していないこと、という完了条件を前記自動設定条件に含み、
前記関連付処理では、前記完了条件が成立する場合に、前記印刷ジョブに含まれる用紙情報を前記トレイに関連付ける用紙情報とすること
を特徴とする印刷装置。
【請求項１０】
請求項９に記載の印刷装置において、
前記関連付処理では、前記完了条件が成立しない場合に、既に前記トレイに関連付けられている用紙情報を前記トレイに関連付ける用紙情報とすること
を特徴とする印刷装置。
【発明の詳細な説明】
【技術分野】
【０００１】
本発明は、用紙に画像を印刷する印刷装置に関する。
【背景技術】
【０００２】
上記の印刷装置として、印刷装置の本体部に対する給紙トレイの着脱に応じて、用紙サイズ等の用紙情報を表示し、ユーザによる用紙情報の設定を受け付ける技術が開示されている（例えば、特許文献１参照）。この印刷装置では、給紙トレイに用紙を補充したときに用紙情報の設定忘れが起こることを抑制することができる。
【先行技術文献】
【特許文献】
【０００３】
【特許文献１】特開２００２−２７８３７７号公報
【発明の概要】
【発明が解決しようとする課題】
【０００４】
しかしながら、上記印刷装置では、ユーザの補充する用紙がどのような用紙情報を有する用紙か推測できる場合にも用紙補充の度に用紙情報を設定させるため、ユーザにとって用紙補充の作業が煩雑であった。
【０００５】
そこで、このような問題点を鑑み、用紙に画像を印刷する印刷装置において、給紙トレイに積載される用紙の用紙情報を設定する際の利便性を向上できるようにすることを本発明の目的とする。
【課題を解決するための手段】
【０００６】
本発明の印刷装置においては、用紙が積載されるトレイと、トレイから供給された用紙に印刷ジョブに基づく画像を印刷する印刷部と、トレイから供給される用紙の有無に応じた信号を出力する用紙センサと、印刷部による作動を制御する制御部と、を備え、制御部は、用紙センサから出力される信号によって用紙の有無を検知する検知処理と、印刷ジョブに含まれる用紙の種類を示す用紙情報と同様の用紙情報が関連付けられたトレイから用紙を供給し、印刷ジョブに基づく画像を印刷部に印刷させる印刷処理と、印刷処理を実行する際に用紙センサにより用紙無しを検知した場合において、予め設定された自動設定条件が成立すると、印刷ジョブに含まれる用紙情報、または既にトレイに関連付けられている用紙情報を、トレイに関連付ける用紙情報とする関連付処理と、を実行する。
【０００７】
このような印刷装置によれば、自動設定条件が成立したときに用紙情報を自動でトレイに対応付けることができるので、トレイに積載される用紙の用紙情報を設定する際の利便性を向上させることができる。
【０００８】
なお、本発明は、方法またはプログラムとして実現することもできる。また、各請求項の記載は、可能な限りにおいて任意に組み合わせることができる。この際、発明の目的を達成できる範囲内において一部構成を除外してもよい。
【図面の簡単な説明】
【０００９】
【図１】本発明の実施の形態に係るプリンタ１００の構成を示す説明図である。
【図２】プリンタ１００の電気的構成を概略的に示すブロック図である。
【図３】制御部３１が行う印刷処理を示すフローチャートである。
【図４】表示部３３に表示される選択画像の一例を示す画像図である。
【図５】表示部３３に表示される設定結果画像の一例を示す画像図である。
【発明を実施するための形態】
【００１０】
以下に本発明にかかる実施の形態を図面と共に説明する。
［プリンタの全体構成］
本発明が適用されたプリンタ１００は、図１に示すように、本体筐体１１０と、印刷部１０と、操作パネル４０と、給紙トレイ５１Ａ、５１Ｂ、５１Ｃ（以下、給紙トレイ５１と表記する。）と、マルチパーパストレイ５１Ｄと、を主に備えている。
【００１１】
印刷部１０は、本体筐体１１０の内部に位置し、例えば周知の電子写真方式によって用紙Ｓへの所望の画像の印刷が可能になっている。
操作パネル４０は、本体筐体１１０の上面に位置しており、表示部３３と、スタートキー、ストップキー、テンキー等から構成されるボタン群とを備えている。この操作パネル４０によりプリンタ１００の動作状況の表示やユーザによる入力操作が可能になっている。ユーザによる入力操作には、例えば、印刷部１０に印刷を行わせる指示である印刷指示の他、各給紙トレイ５１に対応した設定画面がディスプレイ４１に表示されている際の、各給紙トレイ５１に供給される用紙Ｓの種類に関する設定の入力等を含む。
【００１２】
給紙トレイ５１は、本体筐体１１０の下部に位置し、画像の形成に供される用紙Ｓを積載する。本形態のプリンタ１００は、本体筐体１１０の下部に位置する３つの給紙トレイ５１、および本体筐体１１０の前部に位置するマルチパーパストレイ５１Ｄの４つを有している。３つの給紙トレイ５１は、本体筐体１１０に対してそれぞれ前方向に引き出し可能、かつ、引き出した後、本体筐体１１０に対して装着可能に構成されている。
【００１３】
給紙トレイ５１が本体筐体１１０に対して引き出されている状態においては、給紙トレイ５１は、ユーザによって用紙Ｓを載置されることが可能である。また、給紙トレイ５１が本体筐体１１０に対して装着されている状態においては、プリンタ１００は、給紙トレイ５１から用紙Ｓを給紙することが可能である。マルチパーパストレイ５１Ｄは、一般的な手差しトレイとして構成されており、ユーザによって用紙Ｓを載置されることが可能である。
【００１４】
各給紙トレイ５１、マルチパーパストレイ５１Ｄには、それぞれ、載置されている用紙Ｓを引き出す給紙ローラ７１Ａ、７１Ｂ、７１Ｃ、７１Ｄ（以下、給紙ローラ７１と表記する。）が設けられている。印刷部１０にて印刷に使用される用紙Ｓは、給紙トレイ５１、マルチパーパストレイ５１Ｄのいずれかから対応する給紙ローラ７１によって給紙され、印刷部１０に搬送され、印刷部１０によって印刷される。用紙Ｓを搬送する経路には、搬送ローラ７４、７５が設けられており、搬送ローラ７４、７５は、用紙Ｓを本体筐体１１０外の上部に排出する。
【００１５】
［プリンタの電気的構成］
続いて、プリンタ１００の電気的構成について説明する。プリンタ１００は、図２に示すように、制御部３１と、メモリ３２と、表示部３３と、印刷部１０と、操作パネル４０と、検知部６０と、を主に備えている。
【００１６】
制御部３１は、ＣＰＵを備え、メモリ３２に格納されたプログラムに基づく処理を実行する。メモリ３２には、プリンタ１００を制御するための各種制御プログラムや各種設定、初期値等が記憶されている。
【００１７】
また、メモリ３２には、各給紙トレイ５１、マルチパーパストレイ５１Ｄ、および印刷ジョブに対応付けられた用紙サイズの情報等を含む、用紙情報が記録される。なお、印刷ジョブに対応付けられた用紙サイズの情報を記録する領域は、印刷ジョブの最初のページが印刷された後は、他のデータを記録するための領域として利用することができるよう設定されている。
【００１８】
制御部３１は、印刷を行う際には、印刷ジョブに含まれる用紙Ｓの種類を示す用紙情報と同様の用紙情報が関連付けられた給紙トレイ５１またはマルチパーパストレイ５１Ｄの何れかを選択し、この選択したトレイから用紙Ｓを供給し、印刷ジョブに基づく画像を印刷部１０に印刷させることになる。
【００１９】
操作パネル４０は、ユーザによるボタン群への入力操作に応じた信号を制御部３１に伝達する。また、表示部３３は、制御部３１からの指令に応じた画像を表示させる。
検知部６０としては、着脱センサ６１Ａ、６１Ｂ、６１Ｃ（以下、着脱センサ６１と表記する。）、用紙有無センサ６４Ａ、６４Ｂ、６４Ｃ、６４Ｄ（以下、用紙有無センサ６４と表記する。）、通過センサ６５を備えている。
【００２０】
着脱センサ６１は、それぞれ給紙トレイ５１の後方に設けられている光学式センサであり、各給紙トレイ５１に向けて発光し、各給紙トレイ５１との前後方向の距離に応じて変化する、反射光の強弱に応じて、２通りの信号を制御部３１に伝達する。特に、それぞれ給紙トレイ５１が、脱離状態か装着状態かに応じた信号を制御部３１に伝達する。なお、脱離状態とは、給紙トレイ５１について、本体筐体１１０から一部または全て引き出されている状態であり、装着状態とは、本体筐体１１０に取り付けられ全てが本体筐体１１０内に収容されている状態である。
【００２１】
用紙有無センサ６４は、それぞれ３つの給紙トレイ５１およびマルチパーパストレイ５１Ｄの上方に設けられている光学式センサであり、３つの給紙トレイ５１およびマルチパーパストレイ５１Ｄ側に向けて発光し、反射光の強弱に応じた信号を制御部３１に伝達する。特に、それぞれ給紙トレイ５１内およびマルチパーパストレイ５１Ｄ上に用紙Ｓが載置されているか否かに応じて異なる信号を制御部３１に伝達するよう設定されている。
【００２２】
通過センサ６５は、用紙Ｓが搬送される経路上において印刷部１０の手前側（３つの給紙トレイ５１およびマルチパーパストレイ５１Ｄ側）に配置されている（図１参照）。この通過センサ６５は、用紙Ｓが搬送される経路の上方に設けられている光学式センサであり、この経路側に向けて発光し、用紙Ｓの有無に応じた信号を制御部３１に伝達する。
【００２３】
なお、上記には検出部６０を構成するセンサの一例を示したが、センサとしての目的を達成できる限りセンサの形態については任意に態様を取り得る。また、通過センサ６５は、本発明の用紙センサとして適用することができる。
【００２４】
［本実施形態の処理］
このように構成されたプリンタ１００において、制御部３１は、図３に示す印刷処理を実施する。印刷処理は、メモリ３２において記録された、各給紙トレイ５１、マルチパーパストレイ５１Ｄに対応付けられた用紙情報を、ユーザの手を極力煩わせることなく書き換えつつ、用紙Ｓに対する印刷を行う処理である。また、印刷処理は、例えば図示しないパーソナルコンピュータ等の外部装置や、操作パネル４０等から印刷を行うよう指示を受けると開始される処理である。
【００２５】
この処理では、まず、図３に示すように、印刷ジョブを受信する（Ｓ１１０）。ここで、印刷ジョブとは、１つのドキュメントについて印刷を行うための一群のデータを表す。続いて、各種設定を取得する（Ｓ１２０）。この処理では、印刷ジョブにおいて指定された用紙サイズの情報をメモリ３２に書き込むとともに、各給紙トレイ５１，５１Ｄに設定された用紙情報（用紙サイズ）のうちの、指定された用紙サイズと一致するものを選択し、印刷を行う際に利用する利用トレイとして設定する。
【００２６】
続いて、給紙トレイ５１内およびマルチパーパストレイ５１Ｄ上の用紙Ｓの有無に関する情報を取得する（Ｓ１３０）。ここで、用紙Ｓの有無に関する情報は、用紙有無センサ６４から出力される信号である。
【００２７】
また、利用トレイとして設定されたトレイにおける用紙Ｓがない場合、Ｓ１２０の処理に戻り、用紙Ｓがあるトレイのうちの、指定された用紙サイズと一致する他のトレイを利用トレイとして設定してもよい。
【００２８】
続いて、用紙有無センサ６４から取得した用紙Ｓの有無に関する情報に基づいて、利用トレイにおける用紙Ｓの有無を判断する（Ｓ１４０）。利用トレイに用紙Ｓがあれば（Ｓ１４０：ＹＥＳ）、Ｓ３２０の処理に移行する。また、利用トレイに用紙Ｓがなければ（Ｓ１４０：ＮＯ）、用紙Ｓの補充を促す（Ｓ１４５）。この処理では、例えばエラー音を発生させたり、表示部３３に用紙Ｓの補充を促すメッセージを表示させたりする等の周知の報知処理を行えばよい。
【００２９】
なお、用紙有無センサ６４を備えないプリンタとして構成する場合には、通過センサ６５による検知結果に基づいて用紙Ｓの有無を判断してもよい。例えば、制御部３１が給紙ローラ７１の駆動されてからの経過時間を計時し、計時した時間が、用紙Ｓが給紙ローラ７１によって搬送され始めてから搬送ローラ７４によって挟持されて通過センサ６５に到達するまでの時間をある程度超えるまでに、用紙Ｓが通過センサ６５を通過するときに出力される信号を通過センサ６５から取得する場合は、トレイ５１に用紙Ｓが有ると判断すればよい。
【００３０】
また、制御部３１は、計時した時間が前述の時間をある程度超えても、用紙Ｓが通過センサ６５を通過するときに出力される信号を通過センサ６５から取得しない場合は、トレイ５１に用紙Ｓが無いと判断すればよい。
【００３１】
続いて、現在、プリンタ１００が受け付けている印刷ジョブの数を判定する（Ｓ１５０）。印刷ジョブの数が１つであれば（Ｓ１５０：ＹＥＳ）、印刷ジョブの最初のページを既に印刷したか否かを判定する（Ｓ１６０）。
【００３２】
最初のページを既に印刷していれば（Ｓ１６０：ＹＥＳ）、用紙Ｓが補充されたか否かを判定する（Ｓ１７０）。ここで、給紙トレイ５１のうちの何れかが脱離状態から装着状態に遷移したとき、或いは、用紙有無センサ６４のうちの何れかが用紙無し状態から用紙あり状態に遷移したときに、用紙Ｓが補充されたものと判断する。
【００３３】
用紙Ｓが補充されていなければ（Ｓ１７０：ＮＯ）、Ｓ１７０の処理を繰り返す。また、用紙Ｓが補充されていれば（Ｓ１７０：ＹＥＳ）、用紙Ｓが補充されたトレイに関して、ジョブの用紙情報に含まれる用紙サイズを設定し（Ｓ１８０）、Ｓ３１０の処理に移行する。
【００３４】
ところで、Ｓ１６０の処理にて、最初のページを既に印刷していなければ（Ｓ１６０：ＮＯ）、Ｓ１７０の処理と同様に、用紙Ｓが補充されたか否かを判定する（Ｓ２１０）。用紙Ｓが補充されていなければ（Ｓ２１０：ＮＯ）、Ｓ２１０の処理を繰り返す。また、用紙Ｓが補充されていれば（Ｓ２１０：ＹＥＳ）、利用トレイと用紙Ｓが補充されたトレイとを特定し、用紙補充されたトレイが利用トレイと一致するか否かを判定する（Ｓ２２０）。この処理は、利用トレイの番号と脱着センサ６１による検出結果に対応するトレイの番号とを照合することによって実現される。
【００３５】
用紙補充されたトレイが利用トレイと一致していれば（Ｓ２２０：ＹＥＳ）、用紙補充されたトレイに対応する用紙情報を変更することなくそのまま保持し（Ｓ２３０）、Ｓ３１０の処理に移行する。また、用紙補充されたトレイが利用トレイと一致していなければ（Ｓ２２０：ＮＯ）、利用トレイについて設定されていた用紙情報を、用紙補充されたトレイの用紙情報として設定する（Ｓ２４０）。
【００３６】
つまり、利用トレイについて設定されていた用紙情報を、用紙補充されたトレイの用紙情報としてコピーまたは移動してメモリ３２において設定する。また、この際、用紙補充されたトレイを利用トレイとして設定する。このような処理が終了すると、Ｓ３１０の処理に移行する。
【００３７】
また、Ｓ１５０の処理にて、印刷ジョブの数が１つでなければ（Ｓ１５０：ＮＯ）、Ｓ１７０の処理と同様に、用紙Ｓが補充されたか否かを判定する（Ｓ２７０）。用紙Ｓが補充されていなければ（Ｓ２７０：ＮＯ）、Ｓ２７０の処理を繰り返す。また、用紙Ｓが補充されていれば（Ｓ２７０：ＹＥＳ）、用紙サイズの設定をユーザに入力させるための選択画像を表示させる（Ｓ２８０）。
【００３８】
選択画像は、例えば図４に示すように、Ａ４、Ｂ４、Ａ３等の複数の用紙サイズの選択肢から１つを選択するための画像を表示部３３に表示させる。続いて、操作パネル４０を介してユーザによる設定の入力がされたか否かを判定する（Ｓ２９０）。ユーザによる設定の入力がされていなければ（Ｓ２９０：ＮＯ）、Ｓ２８０の処理に戻る。
【００３９】
また、ユーザによる設定の入力がされていれば（Ｓ２９０：ＹＥＳ）、ユーザによる設定の入力結果に従って、メモリ３２において用紙Ｓが補充されたトレイに対応する用紙情報を書き換え（Ｓ３００）、設定結果を表示させる（Ｓ３１０）。
【００４０】
この処理では、例えば図５に示すように、トレイの番号等、トレイを識別するための情報と、各トレイに設定された用紙サイズの情報とが含まれる設定結果画像を、表示部３３に表示させる。特に、この設定結果画像では、用紙Ｓが補充されたトレイ（図５ではトレイ２）を他のトレイとは異なる表示態様で表示（強調表示）させる。
【００４１】
続いて、上記のようにして設定された利用トレイから給紙を行うことで印刷ジョブを実行し（Ｓ３２０）、印刷処理を終了する。なお、ジョブ実行中には、印刷処理を繰り返して実行するようにしてもよい。
【００４２】
［本実施形態による効果］
上記のように詳述した印刷装置（１００）においては、用紙Ｓが積載されるトレイ（５１Ａ、５１Ｂ、５１Ｃ、５１Ｄ）と、トレイから供給された用紙Ｓに印刷ジョブに基づく画像を印刷する印刷部（１０）と、トレイから供給される用紙Ｓの有無に応じた信号を出力する用紙センサ（６１Ａ、６１Ｂ、６１Ｃ、６４Ａ、６４Ｂ、６４Ｃ、６５）と、印刷部（１０）による作動を制御する制御部（３１）と、を備え、制御部（３１）は、用紙センサから出力される信号によって用紙Ｓの有無を検知する検知処理（Ｓ１３０、Ｓ１４０）と、印刷ジョブに含まれる用紙Ｓの種類を示す用紙情報と同様の用紙情報が関連付けられたトレイから用紙Ｓを供給し、印刷ジョブに基づく画像を印刷部（１０）に印刷させる印刷処理（Ｓ１１０、Ｓ１２０、Ｓ３２０）と、印刷処理（Ｓ１１０、Ｓ１２０、Ｓ３２０）を実行する際に用紙センサにより用紙無しを検知した場合において、予め設定された自動設定条件が成立すると、印刷ジョブに含まれる用紙情報、または既にトレイに関連付けられている用紙情報を、トレイに関連付ける用紙情報とする関連付処理（Ｓ１５０〜Ｓ２４０）と、を実行する。
【００４３】
このような印刷装置（１００）によれば、自動設定条件が成立したときに用紙情報を自動でトレイに対応付けることができるので、トレイに積載される用紙Ｓの用紙情報を設定する際の利便性を向上させることができる。
【００４４】
また、印刷装置（１００）において、制御部（３１）は、トレイに用紙Ｓが補充されたか否かを判断する補充判断処理（Ｓ１７０、Ｓ２１０）を実行し、関連付処理（Ｓ１５０〜Ｓ２４０）において、トレイに用紙Ｓが補充されたこと、という条件を自動設定条件に含む。
【００４５】
このような印刷装置（１００）によれば、ユーザが用紙Ｓを補充したときに用紙情報をトレイに関連付けることができる。
また、印刷装置（１００）において、補充判断処理（Ｓ１７０、Ｓ２１０）では、用紙センサにより用紙有りを検知すると、トレイに用紙Ｓが補充されたと判断する。
【００４６】
このような印刷装置（１００）によれば、用紙センサを用いて用紙Ｓの有無を判断するので、用紙Ｓが補充されたか否かを容易に判断できる。
また、印刷装置（１００）において、トレイは、当該印刷装置（１００）の本体部（１１０）に対して着脱自在に構成されており、本体部に対するトレイの着脱状態に応じた信号を出力する着脱センサ（６１Ａ、６１Ｂ、６１Ｃ）を備え、補充判断処理（Ｓ１７０、Ｓ２１０）では、着脱センサによりトレイが本体部に装着されたことを検知すると、トレイに用紙Ｓが補充されたと判断する。
【００４７】
このような印刷装置（１００）によれば、用紙Ｓの有無を直接検知するセンサからの信号を利用することなく着脱センサの信号を用いてトレイに用紙Ｓが補充されたことを判断することができる。
【００４８】
また、印刷装置（１００）においては、トレイを複数備え、制御部（３１）は、補充判断処理（Ｓ１７０、Ｓ２１０）においてトレイに用紙Ｓが補充されたと判断された場合、印刷ジョブの印刷の際に使用したトレイおよび用紙Ｓが補充されたトレイを特定するトレイ特定処理（Ｓ２２０）を実施し、関連付処理（Ｓ１５０〜Ｓ２４０）において、印刷ジョブの最初のページの印刷処理（Ｓ１１０、Ｓ１２０、Ｓ３２０）を完了していないこと、という完了条件を自動設定条件に含み、関連付処理（Ｓ１５０〜Ｓ２４０）では、完了条件が成立する場合に、印刷ジョブの印刷の際に使用したトレイに既に関連付けられている用紙情報を用紙Ｓが補充されたトレイに関連付ける用紙情報とする。
【００４９】
すなわち、ユーザは、印刷ジョブの印刷の際に使用したトレイに既に関連付けられている用紙情報に対応する用紙Ｓを補充する確率が高いため、この用紙情報を用紙Ｓが補充されたトレイに関連付ける用紙情報としている。よって、このような印刷装置（１００）によれば、用紙情報の設定する際の確実性を向上させることができる。
【００５０】
なお、関連付処理（Ｓ１５０〜Ｓ２４０）では、印刷ジョブの印刷の際に使用したトレイと用紙Ｓが補充されたトレイとが一致する場合には、印刷ジョブの印刷の際に使用したトレイに既に関連付けられている用紙情報をそのまま維持することによって用紙Ｓが補充されたトレイに関連付ける用紙情報として採用すればよい。また、関連付処理（Ｓ１５０〜Ｓ２４０）では、印刷ジョブの印刷の際に使用したトレイと用紙Ｓが補充されたトレイとが一致しない場合には、印刷ジョブの印刷の際に使用したトレイに既に関連付けられている用紙情報を、用紙Ｓが補充されたトレイに関連付ける用紙情報として、コピーまたは移動させて採用すればよい。
【００５１】
また、印刷装置（１００）においては、関連付処理（Ｓ１５０〜Ｓ２４０）において、用紙センサにより用紙無しが検知されたときに実行すべき印刷ジョブ以外のジョブが無いこと、という条件を自動設定条件に含む。
【００５２】
すなわち、印刷ジョブが１つであれば他のユーザが別のサイズの用紙Ｓをトレイにセットする確率が低いため、上記のように自動設定条件を設定している。よって、このような印刷装置（１００）によれば、用紙情報の設定する際の確実性を向上させることができる。
【００５３】
また、印刷装置（１００）においては、情報を表示する表示部（３３）を備え、制御部（３１）は、関連付処理（Ｓ１５０〜Ｓ２４０）において自動設定条件が成立しない場合、用紙情報の設定を促す情報を表示部（３３）に表示させる設定表示処理（Ｓ２８０、Ｓ３１０）と、表示情報が表示部（３３）に表示されている間、トレイに積載される用紙Ｓについての用紙情報の設定を受け付け、該受け付けた用紙情報をトレイに関連付ける用紙情報とする受付処理（Ｓ２９０、Ｓ３００）と、を実行する。
【００５４】
すなわち、自動設定条件が成立しない場合には、用紙情報の設定する際の確実性が低下する虞があるものとしてユーザに用紙情報を設定させる。よって、このような印刷装置（１００）によれば、用紙情報の設定する際の確実性が低下することを抑制することができる。
【００５５】
また、印刷装置（１００）においては、情報を表示する表示部（３３）を備え、制御部（３１）は、関連付処理（Ｓ１５０〜Ｓ２４０）にてトレイに関連付けられた用紙情報を表示部（３３）に表示させる設定表示処理（Ｓ２８０、Ｓ３１０）を実行する。
【００５６】
このような印刷装置（１００）によれば、用紙情報がどのような設定にされているかを表示部（３３）に表示させるのでユーザに用紙情報の内容を確認させることができる。
また、印刷装置（１００）においては、関連付処理（Ｓ１５０〜Ｓ２４０）において、印刷ジョブの最初のページの印刷処理（Ｓ１１０、Ｓ１２０、Ｓ３２０）を完了していないこと、という完了条件を自動設定条件に含み、関連付処理（Ｓ１５０〜Ｓ２４０）では、完了条件が成立する場合に、印刷ジョブに含まれる用紙情報をトレイに関連付ける用紙情報とする。
【００５７】
すなわち、最初のページが印刷されていないときにはユーザが印刷ジョブに含まれる用紙情報に対応する用紙Ｓをトレイに補充する可能性が高いため、この用紙情報をトレイに関連付ける用紙情報とする。よって、このような印刷装置（１００）によれば、用紙情報の設定する際の確実性を向上させることができる。
【００５８】
また、印刷装置（１００）において、関連付処理（Ｓ１５０〜Ｓ２４０）では、完了条件が成立しない場合に、既にトレイに関連付けられている用紙情報をトレイに関連付ける用紙情報とする。
【００５９】
ここで、最初のページが印刷されたときでもユーザが印刷ジョブに含まれる用紙情報に対応する用紙Ｓをトレイに補充する可能性が高いが、印刷装置（１００）においては、既にトレイに関連付けられている用紙情報をこの用紙情報をトレイに関連付ける用紙情報とする。このような印刷装置（１００）によれば、印刷ジョブに含まれる用紙情報をいつまでも保持する必要がないようにすることができる。
【００６０】
［その他の実施形態］
本発明は、上記の実施形態によって何ら限定して解釈されない。また、上記の実施形態の構成の一部を、課題を解決できる限りにおいて省略した態様も本発明の実施形態である。また、上記の複数の実施形態を適宜組み合わせて構成される態様も本発明の実施形態である。また、特許請求の範囲に記載した文言のみによって特定される発明の本質を逸脱しない限度において考え得るあらゆる態様も本発明の実施形態である。また、上記の実施形態の説明で用いる符号を特許請求の範囲に関連する記載にも適宜使用しているが、各請求項に係る発明の理解を容易にする目的で使用しており、各請求項に係る発明の技術的範囲を限定する意図ではない。
【符号の説明】
【００６１】
１０…印刷部、３１…制御部、３２…メモリ、３３…表示部、４０…操作パネル、４１…ディスプレイ、５１…給紙トレイ、５１Ｄ…マルチパーパストレイ、６０…検知部、６０…検出部、６１…脱着センサ、６４…用紙有無センサ、６５…通過センサ、７１…給紙ローラ、７４…搬送ローラ、１００…プリンタ、１１０…本体筐体、Ｓ…用紙。
【図１】
2015189016.tif 000003
【図２】
2015189016.tif 000004
【図３】
2015189016.tif 000005
【図４】
2015189016.tif 000006
【図５】
2015189016.tif 000007